(57)【要約】      （修正有）【課題】フォトフレームの保持スタンドに関し、フォトフレームを机上に載置して使用する際に、特にスタンドの位置調整によって、フォトフレームの立て角度を常に任意に設定可能としたフォトフレームの保持スタンドを提供する。【解決手段】フォトフレーム枠１に設けたボス部１０に、すべり止め用のシリコンゴムリング２を介在させ、スタンド３に設けてある凹部に押しバネ４を差し込み、該押しバネ４の飛び出しを防ぐための座金５を挿入し、締付けビス６を螺合させることにより押しバネ４が圧縮され、その結果、フォトフレーム枠１にスタンド３が押し付けられ、且つ、シリコンゴム２の抵抗に伴って、フォトフレーム枠１とスタンド３が任意の位置に保持されるように構成し、使用状況に応じてスタンド３の回動角度を定めて、フォトフレーム枠１の直立角度を調整可能に構成したフォトフレームの保持スタンド。【選択図】図２
2018153600.tif 000002
【特許請求の範囲】
【請求項１】
透明なアクリルプレートで写真や絵柄を挟持して表示するフォトフレームのフレーム枠に設けられたボスに、スタンドの端部が回動自在に嵌着され、該フォトフレームを机上に載置して使用する際に、該フォトフレームと保持スタンドとの傾斜角度を常に任意に設定できるように構成したことを特徴とするフォトフレームの保持スタンド。
【請求項２】
フォトフレーム枠に設けたボスに、すべり止め用のシリコンゴムリングを介在させ、スタンドに設けてある凹部に押しバネを差し込み、該押しバネの飛び出しを防ぐための座金を挿入し、締付けビスを螺合させることにより押しバネが圧縮され、その結果、フォトフレーム枠にスタンドの端部が押し付けられ、且つ、シリコンゴムの抵抗と伴って、フォトフレーム枠とスタンドが任意の位置に保持されるように構成し、使用状況に応じてスタンドの回動角度を定めて、フォトフレームの直立角度を常に調整可能に構成したことを特徴とする請求項１に記載のフォトフレームの保持スタンド。
【請求項３】
保持スタンドを介して、フォトフレームがボス部を中心として、回動自在に構成されていることを特徴とする請求項１に記載のフォトフレームの保持スタンド。
【発明の詳細な説明】
【技術分野】
【０００１】  本発明はフォトフレームの保持スタンドに関し、フォトフレームを机上に載置して使用する際に特にスタンドの位置調整によって、フォトフレームの立て角度を常に任意に設定可能としたことを特徴とするフォトフレームの保持スタンドである。【０００２】  また、フォトフレームの立て角度を常に任意に設定することのできるスタンドを具備する
フォトフレームに関するものである。
【背景技術】
【０００２】  一般的に、絵画等の作品をセットしたり、取り替えるときにはコーナー部の連結を外したり、組み立てたりする手間が掛かるものであった。
また、組み立て後にコーナー部を固定するための構造は、ロック部材や締付けビス兼ストッパーと称される部品を利用するために複雑な構造を必要とするものがあったが、何度か回転使用しているうちに締付け部がゆるみ、任意の角度に保持することができなくなる等の欠陥があった。【０００３】  これらの例としては、特開平８−２４０９９号公報「額縁フレームの連結具」や特開平８−２１５０１０号公報「額縁及び額縁用枠体の枠体連結具」等が公開されている。【０００４】
【特許文献１】特開平８−２４０９９号公報
【特許文献２】特開平８−２１５０１０号公報
【発明の開示】
【発明が解決しようとする課題】
【０００５】  上述したように、この種の連結具は、絵画等の作品をセットしたり、取り替えるときにはコーナー部の連結を外したり、組み立てたりする手間が掛かるものであった。また、組み立て後にコーナー部を固定しなければならず、固定するための構造は、ロック部材やストッパーと称される部品を用いても何度か回転使用しているうちに、締付け部がゆるみ任意の角度に保持することができなくなる等の欠陥があった。【０００６】  したがって、絵画等の作品をセットしたり、取り替えるときにはコーナー部の連結を外したり組み立てをする作業を必要とし、組み立て後にはフォトフレームの立ち位置を容易に調整して利用することができるフォトフレームの保持スタンドを必要とするものであった。
【課題を解決するための手段】
【０００７】  フォトフレームのフレーム枠１に設けられたボス部１０に、スタンド３の端部が回動自在に嵌着され、該フォトフレーム枠１を机上面７に載置して使用する際に、該フォトフレーム枠１とスタンド３の傾斜角度を任意に設定できるように構成したことを特徴とし、フォトフレーム枠１に設けたボス部１０に、すべり止め用のシリコンゴムリング２を介在させ、スタンド３に設けてある凹部に押しバネ４を差し込み、該押しバネ４の飛び出しを防ぐための座金５を挿入し、締付けビス６を螺合させることにより該押しバネ４が圧縮され、その結果、フォトフレーム枠１にスタンド３が押し付けられ、且つ、シリコンゴム２の抵抗と伴って、フォトフレーム枠１とスタンド３が任意の位置に保持されるように構成し、使用状況に応じてスタンド３の回動角度を定めて、フォトフレーム枠１の直立角度を調整可能に構成したフォトフレームの保持スタンドを提供する。【０００８】  また、保持スタンド３を介して、フォトフレーム枠１がボス部１０を中心として、回動自在に構成されていることを特徴とするフォトフレームの保持スタンドを提供する。【０００９】  フォトフレーム１１のフレーム枠１に設けられたボス部１０に、スタンド３の端部が回動自在に嵌着され、該フォトフレーム１１を机上に載置して使用する際に、該フォトフレーム枠１とスタンド３の傾斜角度を常に任意に設定できるように構成したことを特徴とし、使用状況に応じてスタンドの回動角度を定めて、直立角度を調整可能に構成したことを特徴とし、且つ、スタンド３を介して、フォトフレーム枠１がボス部１０を中心として、回動自在に構成されていることを特徴とするフォトフレームの保持スタンドを提供する。
【発明の効果】
【００１０】  本発明のフォトフレームの保持スタンドによれば、フォトフレームを常に任意の角度で卓上に載置することができるので、使用者の好みにあった使用が可能なものである。
【発明を実施するための最良の形態】
【００１１】  以下、図面に基づいて、本発明を実施するための最良の形態を具体的に説明する。
図面に於いて、図１は本発明に係るフォトフレームと保持スタンドの平面図である。【００１２】  フォトフレーム枠１の両サイドに設けられたボス部１０には、保持スタンド３の両端部が嵌着されており、一定の摩擦力を介して回動可能に嵌着されている。【００１３】  したがって、図４乃至図５のようにスタンド３とフォトフレーム１１を矢印ａ又は矢印ｂ方向に回動すれば、フォトフレーム１１を表面に位置させて画材を観察することができる。【００１４】  前記せるように、一定の摩擦力を介してフォトフレーム１１を回動させる場合、ボス部１０を押しバネ４やシリコンゴム２の反発力によって、一定の摩擦力を付与してスタンド３を回動させることができる。【００１５】  また、本発明のフォトフレームの保持スタンドの構造によれば、例えば、フォトフレーム１１の裏面を卓上鏡とした場合、フォトフレームと卓上鏡との二つの機能を有するものとして使用することができるので、生活上の用途として有用である。
【図面の簡単な説明】
【００１６】
【図１】  フォトフレームの平面図である。
【図２】  ボス部の連結断面図である。
【図３】  フォトフレーム設置側面図である。
【図４】  フォトフレームの組み立て斜視図である。
【図５】  フォトフレームの組み立て斜視図である。
【符号の説明】
【００１７】  １．  フォトフレーム枠
２．  シリコンゴム
３．  スタンド
４．  押しバネ
５．  座金
６．  締付ビス
７．  机上面
１０、  ボス部
１１，  フォトフレーム
ａ．  回動方向
ｂ．  回動方向
【図１】
2018153600.tif 000003
【図２】
2018153600.tif 000004
【図３】
2018153600.tif 000005
【図４】
2018153600.tif 000006
【図５】
2018153600.tif 000007